(57)【要約】【課題】【解決手段】熱交換器コイル組立体が提供される。該組立体のフィンは、該フィンの波形形状体にランス型能力増強部を有している。ランスは、各波形部の上流側部及び下流側部の双方に設けられる。上流ランスは、平均空気流れの方向に対し第一の角度を形成し、下流ランスは、平均空気流れの方向に対し第二の角度を形成する。第一及び第二の角度は等しくなく、ランスは互いに対し傾斜される。このことは、２つの異なる空気流の流れを生じさせ、上流ランスのウェーク部は下流ランスに衝突しないようにし、これにより上流ランス及び下流ランスの双方に対する熱伝達を最大にする。
2005539193.tif 000002
【特許請求の範囲】
【請求項１】
熱交換器コイル組立体において、
空気が隣接するフィンの間を流れ得るように、平均空気流の方向に対し実質的に平列に配置された複数のフィンと、
複数のフィンに対し実質的に垂直に配置された複数の伝熱管であって、各々が複数のフィン内で円筒状スリーブを通って伸びている複数の伝熱管とを備え、
フィンの各々は、複数の円筒状スリーブと、少なくとも２つの波形部とを有し、波形部の各々が、第一のランスと、第一のランスの下流の第二のランスとを有し、第一のランスは、平均空気流の方向に対し第一の角度にて傾斜し、第二のランスは、平均空気流の方向に対し第二の角度にて傾斜し、第一の角度は、第二の角度と相違しており、このため、空気流がフィンの外側を通るとき、第一のランスのウェーク部が第二のランスに衝突しないようにした、熱交換器コイル組立体。
【請求項２】
請求項１の熱交換器コイル組立体において、波形部の各々が、上昇傾斜部及び下降傾斜部を有する、熱交換器コイル組立体。
【請求項３】
請求項２の熱交換器コイル組立体において、第一のランスが上昇傾斜部にあり、第二のランスが下降傾斜部にある、熱交換器コイル組立体。
【請求項４】
請求項１の熱交換器コイル組立体において、第一の角度が５゜ないし１５゜の範囲にある、熱交換器コイル組立体。
【請求項５】
請求項４の熱交換器コイル組立体において、第一の角度が１１゜である、熱交換器コイル組立体。
【請求項６】
請求項１の熱交換器コイル組立体において、第二の角度が５゜ないし１５゜の範囲にある、熱交換器コイル組立体。
【請求項７】
請求項１の熱交換器コイル組立体において、第二の角度が０゜である、熱交換器コイル組立体。
【請求項８】
請求項１の熱交換器コイル組立体において、第二のランスが水平である、熱交換器コイル組立体。
【請求項９】
請求項１の熱交換器コイル組立体において、第二のランスが平均空気流れ方向に対し平行である、熱交換器コイル組立体。
【請求項１０】
請求項１の熱交換器コイル組立体において、波形部の各々が、平坦にした逆「Ｖ」字形の形状を有する、熱交換器コイル組立体。
【請求項１１】
請求項１０の熱交換器コイル組立体において、「Ｖ」字形の最も広い部分を亙って描かれ且つ「Ｖ」字形の脚部と交差する仮想の水平線が、５゜ないし１７゜の角度θを形成する、熱交換器コイル組立体。
【請求項１２】
請求項１１の熱交換器コイル組立体において、角度θが１７゜に等しい、熱交換器コイル組立体。
【請求項１３】
複数の隔たったフィン付き伝熱管を通って流れる第一の流体と管の外側を流れる第二の流体との間にて熱伝達が行われる、フィン付き熱交換器コイル組立体において、フィンが少なくとも２つの波形部を有する波形の形状をしており、波形部の各々は、第一のランスと、該第一のランスの下流の第二のランスとを有し、第一のランスは、平均空気流の方向に対し第一の角度にて傾斜し、第二のランスは、平均空気流の方向に対し第二の角度にて傾斜し、第一の角度は、第二の角度と相違しており、このため、空気流がフィンの外側を流れるとき、第一のランスのウェーク部は第二のランスに衝突しないようにした、フィン付き熱交換器コイル組立体。
【請求項１４】
請求項１３のフィン付き熱交換器コイル組立体において、第一の角度が５゜ないし１５゜の範囲にある、フィン付き熱交換器コイル組立体。
【請求項１５】
請求項１４のフィン付き熱交換器コイル組立体において、第一の角度が１１゜である、フィン付き熱交換器コイル組立体。
【請求項１６】
請求項１３のフィン付き熱交換器コイル組立体において、第二の角度が５゜ないし１５゜の範囲にある、フィン付き熱交換器コイル組立体。
【請求項１７】
請求項１３のフィン付き熱交換器コイル組立体において、第二の角度が０゜である、フィン付き熱交換器コイル組立体。
【請求項１８】
請求項１３のフィン付き熱交換器コイル組立体において、第二のランスが水平である、フィン付き熱交換器コイル組立体。
【請求項１９】
請求項１３のフィン付き熱交換器コイル組立体において、第二のランスが平均空気流れ方向に対し平行である、フィン付き熱交換器コイル組立体。
【請求項２０】
請求項１３のフィン付き熱交換器コイル組立体において、波形部の各々が、平坦にした逆「Ｖ」字形の形状を有する、フィン付き熱交換器コイル組立体。
【請求項２１】
請求項２０のフィン付き熱交換器コイル組立体において、「Ｖ」字形の最も広い部分を亙って描かれ且つ「Ｖ」字形の脚部と交差する仮想の水平線が、５゜ないし１７゜の角度θを形成する、フィン付き熱交換器コイル組立体。
【請求項２２】
請求項２１のフィン付き熱交換器コイル組立体において、角度θが１７゜に等しい、フィン付き熱交換器コイル組立体。
【請求項２３】
複数の隔たったフィン付き伝熱管を通って流れる第一の流体と管の外側を流れる第二の流体との間にて熱伝達が行われる、フィン付き熱交換器コイル組立体において、
少なくとも２つの波形部を備え、該波形部の各々は、波形部の上流側における第一のランスと、波形部の下流側における第二のランスとを有し、第一のランスは、平均空気流の方向に対し５゜ないし１５゜の角度を形成し、第二のランスは、平均空気流の方向に対し平行であり、このため、第一のランスのウェーク部は第二のランスに衝突しないようにした、フィン付き熱交換器コイル組立体。
【発明の詳細な説明】
【技術分野】
【０００１】
［００１］  本発明は、熱交換器フィンの上流及び下流のフィン能力増強部の双方の熱伝達を最大にする装置及び方法に関する。
【背景技術】
【０００２】
［００２］  フィン付き熱交換器コイル組立体は、空気調和及び冷凍のような多数の使用分野にて広く使用されている。フィン付き熱交換器コイル組立体は、全体として、複数の隔てた平行な管を有しており、該平行な管を通って水又は冷媒のような伝熱流体が流れる。通常、空気である、第二の伝熱流体は、管を横切る方向に導かれる。熱交換器コイル組立体の熱伝達能力を向上させるため、通常、複数のフィンが使用される。フィンの各々は、親水性の被覆を有し又は有しない、銅又はアルミニウムで出来た、金属薄板である。フィンの各々は、隔たった平行な管を受け入れるための複数の開口を有しており、これらの管は、全体として、フィンに対し直角に複数のフィンを貫通している。フィンは、管に沿って平行な密な間隔の関係に配置されて、空気又はその他の伝熱流体がフィンを亙り且つ、管の周りを流れるための多数の経路を形成する。
【発明の開示】
【発明が解決しようとする課題】
【０００３】
［００３］  フィンは、熱交換効率を向上させ得るように１つ又はより多くの能力増強部（enhancements）を有することがしばしばである。例えば、多くの従来技術の熱交換器のフィンは、断面にて見たとき、波形又は正弦波状の形状のような、平滑な能力増強部を有している。更に、平滑な能力増強部に加えて、又はこれに代えて、熱交換器フィンは、ランス又はルーバのような能力増強部を有することもできる。かかる能力増強部は、ストック線（フィンの全ての造作構造部が形成されるフィン材料の平面）にて形成される。通常、かかる能力増強部は、フィンの上を通る空気の経路に沿った任意の箇所を基準として対称であり、このため、能力増強部が設けられたフィンは、上流及び下流の能力増強部の双方を有している。残念なことに、上流及び下流のランスは、ストック線に対し等しい角度にて形成されることがしばしばである。その結果、下流のランスは上流のランスのウェーク部（ｗａｋｅ）にある状態となり、下流のランスと空気との間の効率的な伝熱を妨げることになる。更に、重なり合ったルーバは、同一の問題点を有する、すなわち、下流のルーバの熱伝達性能は、上流のルーバによる悪影響を受ける。
【０００４】
［００４］  このため、上流及び下流ランス双方の効率的な伝熱を最大にする能力増強部を提供することが必要とされている。
【課題を解決するための手段】
【０００５】
［００５］  本発明の１つの特徴によれば、熱交換器コイル組立体が提供される。該組立体は、空気が隣接するフィンの間を流れ得るように、平均空気流の方向に対し実質的に平列に配置された複数のフィンと、複数のフィンに対し実質的に垂直に配置された複数の伝熱管であって、各々が複数のフィン内で円筒状スリーブを通って伸びている複数の伝熱管とを備え、フィンの各々は、複数の円筒状スリーブと、少なくとも２つの波形部とを有し、波形部の各々が、第一のランスと、第一のランスの下流の第二のランスとを有し、第一のランスは、平均空気流の方向に対し第一の角度にて傾斜し、第二のランスは、平均空気流の方向に対し第二の角度にて傾斜し、第一の角度は、第二の角度と相違しており、このため、空気流がフィンの外側を通るとき、第一のランスのウェーク部が第二のランスに衝突しないようにされている。
【０００６】
［００６］  本発明の第二の特徴によれば、複数の隔たったフィン付き伝熱管を通って流れる第一の流体と管の外側を流れる第二の流体との間にて熱伝達が行われる、フィン付き熱交換器コイル組立体が提供される。フィンの各々は、少なくとも２つの波形部を有する波形の形状をしており、波形部の各々は、第一のランスと、該第一のランスの下流の第二のランスとを有し、第一のランスは、平均空気流の方向に対し第一の角度にて傾斜し、第二のランスは、平均空気流の方向に対し第二の角度にて傾斜し、第一の角度は、第二の角度と相違しており、このため、空気流がフィンの外側を流れるとき、第一のランスのウェーク部は第二のランスに衝突しない。
【０００７】
［００７］  本発明の更なる特徴によれば、複数の隔たったフィン付き伝熱管を通って流れる第一の流体と管の外側を流れる第二の流体との間にて熱伝達が行われる、フィン付き熱交換器コイル組立体が提供される。フィンの各々は、少なくとも２つの波形部を備え、該波形部の各々は、波形部の上流側における第一のランスと、波形部の下流側における第二のランスとを有し、第一のランスは、平均空気流の方向に対し５゜ないし１５゜の角度を形成し、第二のランスは、平均空気流の方向に対し平行であり、このため、第一のランスのウェーク部は第二のランスに衝突しない。
【０００８】
［００８］  本発明の更なる目的及び有利な効果は、以下の説明に記載し、また、一部分、以下の説明から明らかになり、又は、本発明を実施することで理解されよう。本発明の目的及び有利な効果は、特許請求の範囲に特に示した要素、及び要素の組み合わせにより実現され且つ達成されよう。
【０００９】
［００９］  上記の全体的な説明及び以下の詳細な説明は、単に一例であり、特許請求の範囲に記載された本発明を限定するものではないことを理解すべきである。
［０１０］  本明細書の一部を構成する添付図面は、本発明の１つの実施の形態を示し、また、本明細書と共に、本発明の原理を説明する働きをする。
【００１０】
［０１７］  次に、その一例を添付図面に示した本発明の現在の実施の形態について以下に詳細に説明する。可能な限り、同一又は同様の部品を示すため、図面の全体を通じて同一の参照番号を使用する。
【００１１】
［０１８］  本発明に従って、正弦波状（例えば、接線箇所にて接続された２つの円弧の交点により形成された形状）又は波形の形状のような平滑な能力増強部を有するフィンが設けられた熱交換器コイル組立体が提供される。好ましくは、フィン能力増強部は、波形の形状であるものとする。波形部の各々は、上昇傾斜部及び下降傾斜部を有しており、上昇傾斜部及び下降傾斜部の各々は、少なくとも１つのランスを有し、下降傾斜部におけるランスの各々は、該ランスの上流のランスのウェーク部内にないように配置される。熱交換器コイル組立体は、全体として、複数のフィンと、フィンの開口部を貫通して伸びる複数の管と、複数のフィンの両側部に配置された鏡板とを備えている。
【発明を実施するための最良の形態】
【００１２】
［０１９］  本発明に従って、熱交換器コイル組立体は、複数の管を有している。本発明にて具体化し且つ、図１に示すように、複数の管２０は、熱交換器コイル組立体内に設けられている。中空管２０は、組立体１０の長さに沿って伸びており、また、Ｕ字形の曲がった管部分２０ａによりその端部にて互いに接続されている。管は、互いに結束され、蛇行した形態にて伝熱管の束を提供する。管２０は、図１に示すように、伝熱流体入口１４及び伝熱流体出口１６に接続されている。
【００１３】
［０２０］  伝熱流体入口１４及び伝熱流体出口１６は、例えば、組立体の底部分に、又は組立体１０の側部分に配置することができる。管の数及びそれらの配置は、特定の使用分野の必要性に依存して変更することができる。管は、典型的に、銅で出来ているが、その他の適宜な材料を使用することもできる。管は、典型的に、円形又は楕円形の断面を有するが、その他の適宜な形状を使用してもよい。
【００１４】
［０２１］  第一の伝熱流体は、管２０を通って流れ、第二の伝熱流体は、管２０の外側を流れる。管２０は、第一及び第二の伝熱流体の間にて熱伝達を行う。全体として、第一の伝熱流体は、水又は冷媒である。しかし、任意の適宜な伝熱流体を使用することができる。第二の伝熱流体は、通常、空気であり、空気は、管２０及びフィン３０内の第一の流体と管２０の外側を流れる空気との間の熱交換により加熱され又は冷却される。
【００１５】
［０２２］  現在の好ましい実施の形態において、本発明の熱交換器には、２ないし１２列の管が設けられ、好ましい実施の形態は、６、８又は１０列を有し、最も好ましい実施の形態は６列有している。
【００１６】
［０２３］  本発明に従って、熱交換器コイル組立体１０には、複数のフィン３０が設けられる。該複数のフィン３０は、熱交換器コイル組立体の熱伝達能力を向上させるために採用される。フィン３０の各々は、銅又はアルミニウムで出来ていることが好ましい、高熱伝導率を有する金属薄板である。フィン３０の各々は、親水性被覆を有し又は有しないものとすることができる。フィン３０の各々は、隔てられた平行な管２０を受け入れる複数の円筒状スリーブ開口部３１を有しており、管２０は、全体として、図１に示すように、フィン３０に対して直角に複数のフィン３０を貫通して伸びている。フィン３０は、管２０に沿って平行な密な間隔の関係にて配置され、空気又はその他の伝熱流体がフィン３０の間及び管２０を横切る方向に流れるための多数の経路を形成するようにすることが好ましい。鏡板１２は、配置されたフィンの両側部に配置される。
【００１７】
［０２４］  １つの熱交換器のフィンは、同一の寸法である。一般的に、熱交換器の所期の用途に依存して、フィンの寸法は、幅２．５４ｃｍ（１インチ）ないし１０２ｃｍ（４０インチ）以下から高さ１２２ｃｍ（４８インチ）まで変更することができる。
【００１８】
［０２５］  フィン３０の各々は、全体として、参照番号３２で示したランス無し又は平滑な能力増強部を有している。これらの平滑な能力増強部３２は、フィン３０の波形部３３であることが好ましく、また、図２Ｂに示すように、波形部３３は、僅かに平坦にし又は「Ｖ」字形の理論的頂点の場合のように僅かに丸味を付けることができる。これと代替的に、正弦波状形状のようなその他の平滑な能力増強部を使用してもよい。本発明にて具体化し且つ図２Ｂに示すように、波形形状部３２は、ストックラインから押出し成形され且つ、少なくとも２つの波形部３３を形成する。波形部３３の各々は、全体として、僅かに平坦にした逆「Ｖ」字形の形状をしており、上昇傾斜部３４と、下降傾斜部３６とを有している。
【００１９】
［０２６］  「Ｖ」字形の波形部の各々は、図２Ｂに示すように、逆「Ｖ」字形の最も広い部分に亙って描いた仮想的な水平線と、「Ｖ」字形の脚部すなわち傾斜部との間に形成された角度θを有している。角度θに対する好ましい範囲は、５゜ないし１７゜の範囲にあり、１７゜が最も好ましい角度である。これらの波形部３３は、上昇傾斜部３４の基部から下降傾斜部３６の基部まで図２Ｂに示すように、約１．２７ｃｍ（０．５インチ）の幅Ｗを有することが好ましい。各波形部３３内にて、下降傾斜部３６は、上昇傾斜部３４の下流にある。本明細書にて使用するように、「下流」とは、平均空気流の方向に向けた１つの要素の別の要素に対する位置を表わすことを目的とする。平均空気流の方向は、図２Ｂ及び図４に、左方向から右方向に動くものとして示されている。
【００２０】
［０２７］  各波形部３３の傾斜部３４、３６の各々は、ランスを有している。このように、上昇傾斜部３４の各々は、ランス３８を有し、下降傾斜部３６の各々は、ランス４０を有している。本明細書にて使用するように、「ランス」は、ルーバが窓のブラインドの個別のルーバと同様に、一方が他方の後方となるように同一の角度にて整列されたランスである点にて、「ルーバ」から区別することができる。ランスは、上述したように整列する必要はないが、このように整列されたとき、ランスはルーバと称される。フィン３０の波形形状部３２から切り抜いたランス３８、４０に加えて、波形部３３の各々は、頂部及び谷部を有している。頂部及び谷部の双方は、ランスとして機能することができる。このように、ランスとして機能することを主目的とするものではないが、頂部は、凸型に丸味を付けたランス４２を形成し、谷部は凹型に丸味を付けたランス４４を形成する。
【００２１】
［０２８］  ランス３８、４０は、空気の温度層状の層とフィン３０に沿って移動する空気流とを混合させる働きをし、且つ境界層の再開始部として機能する。空気流がランス３８、４０と遭遇する毎に、フィン３０に隣接する空気の滞留層は、より厚くなり始め、ランスの長さに亙るフィン表面における熱抵抗を増大させ、これにより該ランスのフィン表面における断熱の影響を増大させる。境界層を連続的に再開始させることにより、ランスの長さに亙る境界層の厚さを最小にすることで空気とフィン３０との間の伝熱量を向上させる。ランスに遭遇せずに気流が続く時間が長ければ長い程、境界層はより厚くなり、フィンと気流との間の熱伝達は益々非効率的となる。
【００２２】
［０２９］  上流ランス３８及び下流ランス４０は、図２Ｂに示すように、同一の長さＬを有することが好ましい。これと代替的に、これらランスは、異なる長さを有するようにしてもよい。ランスの好ましい寸法は、波形部３３の上昇傾斜部３４又は下降傾斜部３６の寸法の１／３である。しかし、異なる寸法のランスを利用することが可能であると考えられ、より短いランスであることが好ましい。境界層をより多数回、再開始させることになるから、より短いランス及びより多数のランスを使用することが好ましい。境界層を再開始させることは、フィン表面の熱抵抗を減少させ、且つフィン表面の全体的な対流熱伝達を増大させる。
【００２３】
［０３０］  ランス３８、４０は、温度層状の空気層を所望通りに混合させ得るようにフィン３０の外側で空気流に対し方向決めしなければならない。更に、ランス３８、４０は、所定の波形部３３の下流のランス、例えば、ランス４０がその特定の波形部の上流のランス、例えば、ランス３８のウェーク部の経路内にないように位置決めし／方向決めしなければならない。下流ランス、すなわちランス４０が上流ランス、すなわちランス３８のウェーク部にある場合、下流のランスは境界層の再開始部として機能することはできない。このため、境界層は、空気流が下流のランスに亙って移動するに伴い、益々厚くなり、空気流とフィン３０との間の効果的な熱伝達量を減少させる。同様に、波形部３３の間にて、下流のランス（次の波形部３３ａの上流のランス）は、上流のランス（それ以前の波形部３３の下流のランス）のウェーク部にあるように位置決めしてはならない。
【００２４】
［０３１］  本明細書にて使用するように、「ウェーク部」という語は、流れ内に浸漬された本体から下流のバルク流れの妨害された部分を意味する。例えば、本発明において、気流中に浸漬させたランスから下流のバルク気流の妨害された部分をウェーク部と称することになろう。波形部３３の各々内にて下流のランス４０は、上流ランス３８のウェーク部内にないように配置される。このことは、上流ランス３８及び下流ランス４０を波形形状部３２に対し異なる角度にて提供し、１つのランスが他方にランスに対し傾斜するようにすることで実現される。
【００２５】
［０３２］  １つのランスを他方のランスに対して傾斜させることにより、波形部３３の各々内にて、下流ランス４０は上流ランス３８のウェーク部内にないように、２つの異なる空気流の流れが発生される。下流ランス４０は、上流ランス３８のウェーク部内にないから、下流ランス４０は該ランスの外側を通る空気流中に乱流を生じさせる可能性がある。すなわち、１つのランスに近接する流体の流れ（通常、空気）は、次の下流のランスに隣接していない。このため、上流ランス３８及び下流ランス４０の双方の前縁は、双方のランス３８、４０に対する熱伝達を最適にする新たな境界層を開始する（すなわち、境界層を再開始する）ことができる速度プロフィールを生ずる。
【００２６】
［０３３］  本発明にて具体化され且つ図２Ｂに示すように、上流ランス３８は、上流ランス３８に隣接する流れが下流ランス４０に衝突するのを防止し得るように傾斜させてある。１つの好ましい実施の形態において、下流ランス４０は、図２Ｂに示すように水平である。上流ランス３８は、平均空気流の方向（図２Ｂにて左から右方向）及び下流ランス４０の水平線に対し角度αにて傾斜している。平均空気流の方向に対して上流ランス３８を傾斜させるのに好ましい角度αは、５゜ないし１５゜の範囲にあり、１１゜が最も好ましい角度αである。下流ランス４０は、平均空気流の方向に対し水平であり、該下流ランスが平均空気流の方向に対し約０゜の角度を形成するようにすることが好ましい。これと代替的に、下流ランス４０は、上流ランス３８に対して同一の角度範囲、すなわち５゜ないし１５゜の範囲にて傾斜させることも可能である。しかし、ランスは同一の角度にて傾斜させるべきではない。一方のランスを他方のランスに対し傾斜させることにより、２つの異なる空気流の流れが発生され、下流ランス４０は上流ランス３８のウェーク部内になく、これにより上流ランス３８及び下流ランス４０の双方に対する熱伝達を最大にする。
【００２７】
［０３４］  本発明に従って設計された熱交換器フィン１３０の一例が図３に示されている。図示した測定値はインチで表わしており、単に一例とすることを目的とする。図３に示すように、フィン１３０は、複数の波形部を備える波形の形状を有する。波形部１３３の各々は、凸型の丸味を付けたランス１４２及び凹型に丸味を付けたランス１４４をそれぞれ形成する頂部及び谷部を有している。図３に示すように、波形部１３３の各々は、上昇傾斜部１３４と、下降傾斜部１３６とを有している。上昇傾斜部１３４の各々は、ランス１３８を有し、下降傾斜部１３６の各々は、ランス４０を有している。ランス３８の各々は、平均空気流の方向及びランス４０の各々に対し約１１゜の角度にて傾斜している。ランス４０の各々は、水平で且つ平均空気流の方向に対し平行である。
【００２８】
［０３５］  図４に示すように、空気流（流線にて図示）は、傾斜したランス１３８に近く且つ隣接して通り、また、谷部１４４ａに衝突する前に、下流の頂部１４２又は水平ランス１４０に衝突せずに、下方に向けられる。同様に、湾曲した頂部１４２に隣接して通る空気流は、波形部１３３ａの下流の傾斜ランス１３８ａに衝突する前に、水平ランス１４０及び谷部１４４ａの外側を通る。更に、空気は、谷部１４４ａ及び波形部１３３ａの下流の傾斜ランス１３８ａに衝突せずに通過するよう導かれる。このように、所定のランスに隣接する流れは、直ぐ下流のランスに衝突しないことが理解できる。これに反して、図５に示すように、従来のフィンにおいて、所定のランスに隣接する流れは、直ぐ下流のランスに衝突する。例えば、第一の水平ランス２３９の上方の流れは、第二の水平ランス２４１に衝突する。更に、ランス２３９に近接しない流れは、全ての下流のランスの上方に依然として止まり、空気層の混合及び境界層の再開始を妨げる。
【００２９】
［０３６］  上流ランス及び下流ランスを有するフィンを製造する方法について以下に説明する。該方法は、平滑な能力増強部を第一のダイにてフィンストックに取り付けるステップと、フィンを第二のダイにて平均空気流に対し垂直の方向に切断するステップと、ランスを同一の第二のダイにて平滑な能力増強部から上昇させるステップとを備えている。
【００３０】
［０３７］  図２Ｂに示すように、フィン３０は、平滑な能力増強部３２を有している。平滑な能力増強部３２は、フィンストックを第一のダイ内に配置し、ストックラインから押出し成形される波形形状体を形成することで製造される。波形形状体が製造された後、フィン３０は、第二のダイにて平均空気流に対し垂直の方向に向けて切断する。ランス３８、４０の各々を製造するため、切断は２回行われる。ランス３８、４０は、ストックラインから押出し成形した波形形状体３２から形成される。フィン３０が切断されたならば、ランス３８、４０をダイによってフィン３０の波形形状部３２から上昇させる。同一のダイにてランス３８、４０を形成するため波形形状体３２を切断することができる。これと代替的に、異なるダイを使用してランス３８、４０を波形形状体３２内に画成してもよい。
【００３１】
［０３８］  ランス３８、４０をフィン３０の波形形状体３２から上昇させるステップは、下流ランス４０が上流ランス３８のウェーク部内にないように下流ランス４０を配置するステップを含む。１つの好ましい実施の形態において、このステップは、下流ランスが水平となるように該下流ランス４０を配置するステップを含む。更に、上流ランス３８は、該ランスが平均空気流の方向に対し５゜ないし１５゜の角度を形成するように配置される。下流ランス４０が水平である１つの好ましい実施の形態において、上流ランス３８は、該ランスが下流ランス４０に対し５゜ないし１５゜の範囲の角度を形成するようにも配置される。好ましくは、上流ランス３８は、平均空気流の方向及び水平な下流ランス４０に対し１１゜の角度を形成するように配置されるようにする。
【００３２】
［０３９］  本発明のその他の実施の形態は、本明細書及び本明細書に開示された本発明の実施を検討することにより当該技術分野の当業者に明らかになるであろう。本明細書及び例は、単に一例とみなされ、本発明の真の範囲及び精神は特許請求の範囲により示すことを意図するものである。
【図面の簡単な説明】
【００３３】
【図１】［０１１］本発明に従った熱交換器コイル組立体の斜視図である。
【図２Ａ】［０１２］本発明に従った熱交換器フィンの頂面図である。
【図２Ｂ】［０１３］線Ｂ−Ｂに沿った図２Ａの熱交換器フィンの側面図である。
【図３】［０１４］本発明に従った設計とされた一例としての熱交換器フィンの側面図である。
【図４】［０１５］本発明に従った熱交換器フィンを亙って動く空気流（左から右へ流れる空気流）の流線の側面図である。
【図５】［０１６］従来の熱交換器フィン亙って動く空気流の流線の側面図である。
【図１】
2005539193.tif 000003
2005539193.tif 000004
【図２Ｂ】
2005539193.tif 000005
【図３】
2005539193.tif 000006
【図４】
2005539193.tif 000007
【図５】
2005539193.tif 000008
【国際調査報告】
2005539193.tif 000009
2005539193.tif 000010